(57)【要約】【課題】記録可能な光ディスクを再生専用の光ディスクによって擬似的に構成し、光ディスク装置の光ピックアップの調整に適した状態のテスト用二層光ディスクを実現する。【解決手段】光ディスク装置の光ピックアップ調整に使用されるテスト用二層光ディスクであって、光学的に記録可能な光ディスクを再生した際に前記光ピックアップで得られる信号と同じ信号が得られるように、再生専用の光ディスクにおいてピット高さもしくはトラックピッチの少なくとも一方が調整された第一記録層と、前記光ディスクとは種類の異なる光ディスクを再生した際に前記光ピックアップで得られる信号と同じ信号が得られるように、再生専用の光ディスクにおいてピット高さもしくはトラックピッチの少なくとも一方が調整された第二記録層と、を有することを特徴とする。【選択図】図１
2007317317.tif 000002
【特許請求の範囲】
【請求項１】
光ディスク装置の光ピックアップ調整に使用されるテスト用二層光ディスクであって、
光学的に記録可能な光ディスクを再生した際に前記光ピックアップで得られる信号と同じ信号が得られるように、再生専用の光ディスクにおいてピット高さもしくはトラックピッチの少なくとも一方が調整された第一記録層と、
前記光ディスクとは種類の異なる光ディスクを再生した際に前記光ピックアップで得られる信号と同じ信号が得られるように、再生専用の光ディスクにおいてピット高さもしくはトラックピッチの少なくとも一方が調整された第二記録層と、
を有することを特徴とするテスト用二層光ディスク。
【請求項２】
光学的に記録可能な光ディスクを再生した際に前記光ピックアップで得られる信号と同じ信号が得られるように、前記第一記録層と前記第二記録層とにおいて、ピット高さとトラックピッチとの両方が調整されている、
ことを特徴とする請求項１に記載のテスト用二層光ディスク。
【請求項３】
光学的に記録可能な光ディスクを再生した際に前記光ピックアップで得られるトラッキングエラー信号の特性と同じ傾向の特性が得られるように、前記第一記録層と前記第二記録層とにおいて、ピット高さとトラックピッチとの両方が調整されている、
ことを特徴とする請求項１に記載のテスト用二層光ディスク。
【請求項４】
トラックピッチの異なる複数の光学的に記録可能な光ディスクを３ビームの光ピックアップで再生した際に得られるメインビームのＲＦ信号とサブビームのＲＦ信号との位相差の特性と同じ傾向の特性が得られるように、前記第一記録層と前記第二記録層とにおいてトラックピッチが調整されている、
ことを特徴とする請求項１に記載のテスト用二層光ディスク。
【請求項５】
前記第一記録層、もしくは、前記第二記録層の少なくとも一方の層において、種類の異なる光学的に記録可能な複数の光ディスクを再生した際に前記光ピックアップで得られる信号と同じ信号が得られるように、再生専用の光ディスクにおいてピット高さもしくはトラックピッチの少なくとも一方が調整された複数の領域を有する、
ことを特徴とする請求項１乃至請求項３のいずれかに記載のテスト用二層光ディスク。
【請求項６】
前記第一記録層、もしくは、前記第二記録層の少なくとも一方の層において、種類の異なる光学的に記録可能な複数の光ディスクを再生した際に前記光ピックアップで得られる信号と同じ信号が得られるように、再生専用の光ディスクにおいてピット高さが調整された複数の領域を有する、
ことを特徴とする請求項４記載のテスト用二層光ディスク。
【発明の詳細な説明】
【技術分野】
【０００１】
本発明はＣＤ、ＤＶＤ、ＨＤ ＤＶＤ、ブルーレイディスクなどを再生する光ディスク装置の光ピックアップ調整に使用されるテスト用二層光ディスクに関する。
【背景技術】
【０００２】
ＣＤ、ＤＶＤ、ＨＤ ＤＶＤ、ブルーレイディスクなどの光ディスクを記録媒体として用いる光ディスク装置では、再生時には光ディスクに記録された情報を読み取るため、ピックアップに内蔵された光源から光を照射する。
【０００３】
そして、光ディスクで反射された光をピックアップ内の光検出器で受け、トラッキングなどの誤差信号を生成する。さらに、この誤差信号に基づいてトラッキングサーボを駆動することで、ピックアップが光ディスクのトラックを追従することが可能になる。
【０００４】
ここで、光ディスク装置の光ピックアップを調整するためには、テスト用光ディスクが使用される。この際、ＤＶＤを例にすると、記録用ＤＶＤとして、ＤＶＤ−Ｒ，ＤＶＤ＋Ｒ，ＤＶＤ−ＲＷ，ＤＶＤ＋ＲＷ，ＤＶＤ−ＲＡＭなど各種の光ディスクが存在している。
【０００５】
そして、このように複数種類の光ディスクをテストする場合には、検査工程毎にディスクを交換する手法と、図３に示すように、内周部と外周部とで複数種類の光ディスクを貼り合わせたディスクを用いる手法とが存在している。
【０００６】
なお、複数種類の光ディスクを一枚として構成する技術に関して、以下の特許文献１に記載されている。また、テスト用の光ディスクを構成する技術が以下の特許文献２に記載されている。
【特許文献１】特開平１１−２５５７８号公報（第１頁、図１）
【特許文献２】特開２００３−１５７５８７号公報（第１頁、図１）
【発明の開示】
【発明が解決しようとする課題】
【０００７】
以上の図３のように、内周部のディスクと外周部のリング状のディスクとを貼り合わせて複数種類の光ディスクを構成する場合、回転バランス，偏芯の精度，耐久性などの機械的な安定度が低いという問題がある。
【０００８】
上記特許文献１は、光ディスクを径方向に複数に分割した領域に、それぞれ異なるフォーマットを収録したものである。具体的には、再生専用のＣＤにおいて、標準のＣＤフォーマット、倍密度のＣＤフォーマットを１枚に収録している。
【０００９】
また、上記特許文献２には、記録可能な光ディスクの反射率と等価になるように設定した再生専用の光ディスクを構成し、ロットによって性能が変化する可能性のある記録可能な光ディスクを、安定した状態の再生専用の光ディスクによって擬似的に構成することが記載されている。
【００１０】
なお、記録可能な光ディスクを再生専用の光ディスクによって擬似的に構成しても、反射率に着目しては、光ディスク装置の光ピックアップを調整するためのテスト用光ディスクとしては十分な性能が得られない。
【００１１】
すなわち、記録可能な光ディスクは層変化あるいは色素変化で記録がなされるため、ピットの有無によって記録がなされる再生専用の光ディスクとは、光ピックアップのトラッキングエラー信号の現れ方が異なっている。このため、反射率に着目していては、擬似的な構成が十分ではない。このため、光ピックアップで再生時に得られるトラッキングエラー信号の調整などを行うことができなかった。
【００１２】
また、光ピックアップの３ビームトラッキング法は、メインビームの他にサブビームと呼ばれる先行ビームと後方ビームを用い、トラッキングエラー信号を生成する。この光ピックアップを調整するときは、この先行ビーム及び後方ビームのRF信号がメインビームのRF信号に対して一定量の位相差が得られるように、各ビームが照射されるように調整されている必要がある。この一定量を超えて位相差が調整されたときは、光ピックアップのトラッキング能力に大きく影響を与える。また、この位相の調整は、光ディスクのトラックピッチに依存する。したがって、異なったトラックピッチのディスクも正常に再生できるように、トラックピッチごとに、一定量の位相差に調整されている必要がある。DVDを例にとると、DVD+Rは0.74μm、DVD-RAMは0.615μmのトラックピッチであり、実際に、ピックアップを調整するとき、これらのトラックピッチごとに、一定量の位相差に調整される必要がある。そして、異なったトラックピッチの複数のディスクを用いて、上記、３ビームトラッキング法を用いた光ピックアップのメインビームとサブビーム位相調整を行わなう必要があり、調整作業が煩雑であるという問題も存在していた。
【００１３】
本発明は、記録可能な光ディスクを再生専用の光ディスクによって擬似的に構成し、かつ、１枚のディスクにおいて複数種類の記録可能な光ディスクを擬似的に構成し、光ディスク装置の光ピックアップの調整に適した状態のテスト用光ディスクを実現することを目的とする。
【課題を解決するための手段】
【００１４】
上述した不具合を解決する手段としての本発明は、以下の（１）〜（６）に述べるようなものである。
（１）請求項１記載の発明は、光ディスク装置の光ピックアップ調整に使用されるテスト用二層光ディスクであって、光学的に記録可能な光ディスクを再生した際に前記光ピックアップで得られる信号と同じ信号が得られるように、再生専用の光ディスクにおいてピット高さもしくはトラックピッチの少なくとも一方が調整された第一記録層と、前記光ディスクとは種類の異なる光ディスクを再生した際に前記光ピックアップで得られる信号と同じ信号が得られるように、再生専用の光ディスクにおいてピット高さもしくはトラックピッチの少なくとも一方が調整された第二記録層と、を有することを特徴とするテスト用二層光ディスクである。
【００１５】
（２）請求項２記載の発明は、光学的に記録可能な光ディスクを再生した際に前記光ピックアップで得られる信号と同じ信号が得られるように、前記第一記録層と前記第二記録層とにおいて、ピット高さとトラックピッチとの両方が調整されている、ことを特徴とする請求項１に記載のテスト用二層光ディスクである。
【００１６】
（３）請求項３記載の発明は、光学的に記録可能な光ディスクを再生した際に前記光ピックアップで得られるトラッキングエラー信号の特性と同じ傾向の特性が得られるように、前記第一記録層と前記第二記録層とにおいて、ピット高さとトラックピッチとの両方が調整されている、ことを特徴とする請求項１に記載のテスト用二層光ディスクである。
【００１７】
（４）請求項４記載の発明は、トラックピッチの異なる複数の光学的に記録可能な光ディスクを３ビームの光ピックアップで再生した際に得られるメインビームのＲＦ信号とサブビームのＲＦ信号との位相差の特性と同じ傾向の特性が得られるように、前記第一記録層と前記第二記録層とにおいてトラックピッチが調整されている、ことを特徴とする請求項１に記載のテスト用二層光ディスクである。
【００１８】
（５）請求項５記載の発明は、前記第一記録層、もしくは、前記第二記録層の少なくとも一方の層において、種類の異なる光学的に記録可能な複数の光ディスクを再生した際に前記光ピックアップで得られる信号と同じ信号が得られるように、再生専用の光ディスクにおいてピット高さもしくはトラックピッチの少なくとも一方が調整された複数の領域を有する、ことを特徴とする請求項１乃至請求項３のいずれかに記載のテスト用二層光ディスクである。
【００１９】
（６）請求項６記載の発明は、前記第一記録層、もしくは、前記第二記録層の少なくとも一方の層において、種類の異なる光学的に記録可能な複数の光ディスクを再生した際に前記光ピックアップで得られる信号と同じ信号が得られるように、再生専用の光ディスクにおいてピット高さが調整された複数の領域を有する、ことを特徴とする請求項４記載のテスト用二層光ディスクである。
【発明の効果】
【００２０】
本発明によると以下の（１）〜（６）に示すような効果が得られる。
（１）請求項１記載の発明では、光ディスク装置の光ピックアップ調整に使用されるテスト用二層光ディスクを再生専用の二層光ディスクで構成すると共に、記録可能な光ディスクを再生した際に光ピックアップで得られる信号と同じ特性の信号が得られるように、再生専用の光ディスクにおいてピット高さもしくはトラックピッチの少なくとも一方が調整された第一記録層と、前記光ディスクとは種類の異なる光ディスクを再生した際に前記光ピックアップで得られる信号と同じ特性の信号が得られるように、再生専用の光ディスクにおいてピット高さもしくはトラックピッチの少なくとも一方が調整された第二記録層と、備えた状態で構成しておく。
【００２１】
この結果、記録可能な光ディスクを再生専用の光ディスクによって擬似的に構成した場合に、光ディスク装置の光ピックアップを調整するためのテスト用二層光ディスクとしては反射率に着目していては十分な性能が得られないという欠点は、ピット高さもしくはトラックピッチの少なくとも一方の調整によって解消され、光学的に記録可能な光ディスクを再生した際に光ピックアップで得られる信号と同じ特性の信号が得られるようなる。
【００２２】
これにより、記録可能な光ディスクを再生専用の光ディスクによって擬似的に構成し、光ディスク装置の光ピックアップの調整に適した状態のテスト用二層光ディスクを実現することが可能になる。
【００２３】
また、二層によって異なる記録可能な光ディスクを擬似的に再現でき、この各層はピット高さやトラックピッチが異なるものの同一の再生専用の光ディスクにより構成されているため、物理的に安定した状態を保つことが可能になる。
【００２４】
（２）請求項２記載の発明では、光学的に記録可能な光ディスクを再生した際に光ピックアップで得られる信号と同じ特性の信号が得られるように、第一記録層と第二記録層とにおいて、ピット高さとトラックピッチとの両方を調整しておく。
【００２５】
この結果、記録可能な光ディスクを再生専用の光ディスクによって擬似的に構成した場合に、光ディスク装置の光ピックアップを調整するためのテスト用二層光ディスクとしては反射率に着目していては十分な性能が得られないという欠点は、ピット高さとトラックピッチの両方の調整によって解消され、光学的に記録可能な光ディスクを再生した際に光ピックアップで得られる信号と同じ特性の信号が得られるようなる。
【００２６】
これにより、記録可能な光ディスクを再生専用の光ディスクによって擬似的に構成し、光ディスク装置の光ピックアップの調整に適した状態のテスト用二層光ディスクを実現することが可能になる。
【００２７】
また、二層によって異なる記録可能な光ディスクを擬似的に再現でき、この各層はピット高さやトラックピッチが異なるものの同一の再生専用の光ディスクにより構成されているため、物理的に安定した状態を保つことが可能になる。
【００２８】
（３）請求項３記載の発明では、記録可能な光ディスクを再生した際に光ピックアップで得られるトラッキングエラー信号の特性と同じ傾向の特性が得られるように、第一記録層と第二記録層とにおいて、ピット高さとトラックピッチとの両方を調整しておく。
【００２９】
この結果、記録可能な光ディスクを再生専用の光ディスクによって擬似的に構成した場合に、光ディスク装置の光ピックアップのトラッキングを調整するためのテスト用二層光ディスクとしては反射率に着目していては十分な性能が得られないという欠点は、ピット高さとトラックピッチの両方の調整によって解消され、光学的に記録可能な光ディスクを再生した際に光ピックアップで得られる信号と同じ特性の信号が得られるようなる。
【００３０】
これにより、記録可能な光ディスクを再生専用の光ディスクによって擬似的に構成し、光ディスク装置の光ピックアップの調整に適した状態のテスト用二層光ディスクを実現することが可能になる。
【００３１】
また、二層によって異なる記録可能な光ディスクを擬似的に再現でき、この各層はピット高さやトラックピッチが異なるものの同一の再生専用の光ディスクにより構成されているため、物理的に安定した状態を保つことが可能になる。
【００３２】
（４）請求項４記載の発明は、トラックピッチの異なる複数の光学的に記録可能な光ディスクを3ビームの光ピックアップで再生した際に得られるメインビームのＲＦ信号とサブビームのＲＦ信号との位相差の特性と同じ傾向の特性が得られるように、第一記録層と第二記録層とにおいて、トラックピッチを調整しておく。
【００３３】
この結果、記録可能な光ディスクを再生専用の光ディスクによって擬似的に構成した場合に、光ディスク装置の３ビーム光ピックアップの位相を調整するためのテスト用二層ディスクとしては反射率に着目していては十分な性能が得られないという欠点は、トラックピッチの調整によって解消される。
【００３４】
これにより、記録可能な光ディスクを再生専用の光ディスクによって擬似的に構成し、光ディスク装置の３ビーム光ピックアップの位相調整に適した状態のテスト用二層光ディスクを実現することが可能となる。
【００３５】
すなわち、２層で構成される光ディスクにおいて、第一の層と第二の層に、それぞれトラックピッチがことなるメディアの信号を収録したことで、３ビームトラッキング法の光ピックアップを調整すると1枚のディスクでトラックピッチの異なる2種類のメディアに対して光ピックアップの位相調整が可能になり効率的である。
【００３６】
（５）請求項５記載の発明は、第一記録層、もしくは、第二記録層の少なくとも一方の層において、種類の異なる光学的に記録可能な複数の光ディスクを再生した際に光ピックアップで得られる信号と同じ信号が得られるように、再生専用の光ディスクにおいてピット高さもしくはトラックピッチの少なくとも一方を調整した複数の領域を設けておく。
【００３７】
これにより、３種あるいは４種以上の記録可能な光ディスクを再生専用の光ディスクによって擬似的に構成し、光ディスク装置の光ピックアップの調整に適した状態のテスト用二層光ディスクを実現することが可能になる。
【００３８】
また、二層によって異なる記録可能な光ディスクを擬似的に再現でき、この各層はピット高さやトラックピッチが異なるものの同一の再生専用の光ディスクにより構成されているため、３種あるいは４種以上の記録可能光ディスクを擬似的に構成しているものの、物理的に安定した状態を保つことが可能になる。
【００３９】
（６）請求項６記載の発明は、第一記録層、もしくは、第二記録層の少なくとも一方の層において、種類の異なる光学的に記録可能な複数の光ディスクを再生した際に光ピックアップで得られる信号と同じ信号が得られるように、再生専用の光ディスクにおいてトラックピッチを調整した複数の領域を設けておく。
【００４０】
これにより、３種あるいは４種以上の記録可能な光ディスクを再生専用の光ディスクによって擬似的に構成し、光ディスク装置の光ピックアップの調整に適した状態のテスト用二層光ディスクを実現することが可能になる。
【００４１】
また、二層によって異なる記録可能な光ディスクを擬似的に再現でき、この各層はピット高さやトラックピッチが異なるものの同一の再生専用の光ディスクにより構成されているため、３種あるいは４種以上の記録可能光ディスクを擬似的に構成しているものの、物理的に安定した状態を保つことが可能になる。
【発明を実施するための最良の形態】
【００４２】
以下に、図面を参照して本発明を実施するための最良の形態（実施形態）を詳細に説明する。
第１の実施の形態例の再生専用のテスト用二層光ディスクについて、断面構成を表す図１を用いて説明を行う。
【００４３】
まず、図１（ａ）と図１（ｂ）において、ポリカーボネート等で構成され光入射面に一番近い側の透明基板である第一基板１１と、光入射面に一番近い側のレイヤＬ０を構成する第一基板１１上に構成された第一反射膜２１である。この場合、図１（ａ）（ｂ）の紙面下側が光入射面となる。
【００４４】
また、図１（ｃ）と図１（ｄ）において、ポリカーボネート等で構成され光入射面から遠い側の透明基板である第二基板１２と、光入射面から遠い側のレイヤＬ１を構成する第二基板１２上に構成された第二反射膜２２である。この場合、後述する貼り合わせにより、図１（ｃ）（ｄ）の紙面上側が光入射面となる。
【００４５】
そして、図１（ｅ）と、その拡大図である図１（ｆ）において、ポリカーボネート等で構成され光入射面に一番近い側の透明基板である第一基板１１と、光入射面に一番近い側のレイヤＬ０を構成する第一基板１１上に構成された第一反射膜２１と、ポリカーボネート等で構成され光入射面から遠い側の透明基板である第二基板１２と、光入射面から遠い側のレイヤＬ１を構成する第二基板１２に構成された第二反射膜２２である。この場合、中間層を構成する接着層３０を用いた貼り合わせにより、図１（ｂ）の第一基板１１と逆向きにされた図１（ｄ）の第二基板１２とによってテスト用二層光ディスクが構成されている。この場合、図１（ｅ）（ｆ）の紙面下側が光入射面となる。さらに、レーベル等が印刷されるラベル面４０が光入射面と反対側に構成されている。
【００４６】
ここで、図１（ｅ）の部分拡大図である図１（ｆ）に示すように、第一基板１１と第二基板１２とには、それぞれ、再生専用の光ディスクとしてのピットが形成されており、光ピックアップの対物レンズからの光が照射されるように構成されている。
【００４７】
また、ここで、第一基板１１と第一反射膜２１とで、請求項における第一記録層を構成している。また、ここで、第二基板１２と第二反射膜２２とで、請求項における第二記録層を構成している。
【００４８】
なお、上記構成の再生テスト用二層光ディスクの製造方法を、以下に順を追って説明する。
［ステップ１−１］
最初に、ディジタルデータの情報が形成されたスタンパとしてＤＶＤ−ＲＯＭのシングルレイヤスタンパを用い、射出成形法や２Ｐ法にて、情報源ピットを全周に有する、板厚０．６mmの第一基板１１を作る。
【００４９】
ここで、第一基板１１のピット高さやトラックピッチは、図１（ａ）（ｂ）の下側平面を光入射面として、光学的に記録可能な光ディスク（ＤＶＤ−Ｒ，ＤＶＤ＋Ｒ，ＤＶＤ−ＲＷ，ＤＶＤ＋ＲＷ，ＤＶＤ−ＲＡＭのいずれか）を再生した際に前記光ピックアップで得られる信号と同じ信号が得られるように決定する。
【００５０】
すなわち、光学的に記録可能な光ディスクを再生した際に光ピックアップで得られるトラッキングエラー信号の特性と同じ傾向の特性が得られるように、第一記録層のピット高さとトラックピッチを決定する。
【００５１】
または、トラックピッチの異なる複数の光学的に記録可能な光ディスクを３ビームの光ピックアップで再生した際に得られるメインビームのＲＦ信号とサブビームのＲＦ信号との位相差の特性と同じ傾向の特性が得られるように、第一記録層のトラックピッチを決定する。
【００５２】
［ステップ１−２］
つぎに、第一基板１１上の内周から中周までに、スパッタ装置などを用いて全反射用の第一反射膜２１を真空蒸着などによって成膜する。
【００５３】
［ステップ２−１］
そして、ディジタルデータの情報が形成されたスタンパとしてＤＶＤデュアルレイヤのパラレルトラックパスであるスタンパを用い、射出成形法や２Ｐ法にて、情報源ピットを全周に有する、板厚０．６mmの第二基板１２を作る。
【００５４】
ここで、第二基板１２のピット高さやトラックピッチは、上記第一基板１１とは異なる記録可能ＤＶＤを対象として、上記第一基板１１とはピット高さやトラックピッチが異なるものとする。また、図１（ｃ）（ｄ）の上側凹凸面を光入射面として、スパイラル方向も逆向きとする。そして、光学的に記録可能な光ディスク（ＤＶＤ−Ｒ，ＤＶＤ＋Ｒ，ＤＶＤ−ＲＷ，ＤＶＤ＋ＲＷ，ＤＶＤ−ＲＡＭのいずれか）を再生した際に前記光ピックアップで得られる信号と同じ信号が得られるように決定する。
【００５５】
すなわち、光学的に記録可能な光ディスクを再生した際に光ピックアップで得られるトラッキングエラー信号の特性と同じ傾向の特性が得られるように、第二記録層のピット高さとトラックピッチを決定する。
【００５６】
または、トラックピッチの異なる複数の光学的に記録可能な光ディスクを３ビームの光ピックアップで再生した際に得られるメインビームのＲＦ信号とサブビームのＲＦ信号との位相差の特性と同じ傾向の特性が得られるように、第二記録層のトラックピッチを決定する。
【００５７】
［ステップ２−２］
つぎに、第二基板１２上の中周から外周までに、スパッタ装置などを用いて全反射用の第二反射膜２２を真空蒸着などによって成膜する。
【００５８】
［ステップ３］
上記ステップ［１−１］とステップ［１−２］で作成された第一基板１１と、上記ステップ［２−１］とステップ［２−２］で作成された第二基板１２とを、互いの反射膜２１と反射膜２２とが向き合うようにして、接着層３０を介して貼り合わせる。この場合、接着層３０の厚みを調整し、全体として二層光ディスクの所定の厚みになるように構成する。
【００５９】
［ステップ４］
さらに、以上の第二基板１２の平面側の面にレーベル等を印刷し、テスト用二層光ディスクを完成させる。
【００６０】
以下、本願発明の特徴部分について詳細に説明する。
ＤＶＤ−Ｒ，ＤＶＤ＋Ｒ，ＤＶＤ−ＲＷ，ＤＶＤ＋ＲＷ，ＤＶＤ−ＲＡＭなどの記録可能な光ディスクは、層変化あるいは色素変化で記録がなされるため、ピットの有無によって記録がなされる再生専用の光ディスク（ＤＶＤ−ＲＯＭなど）とは、光ピックアップのトラッキングエラー信号などの現れ方が異なっている。
【００６１】
このため、従来のように反射率に着目していては、擬似的な構成が十分ではない。そこで、この実施形態では、ピット高さＨｐやトラックピッチＰｔに着目することにした。なお、ピット高さについて、ピット深さと呼ぶ場合もあるが、この明細書においては、ピット高さと呼ぶことにする。
【００６２】
すなわち、本実施形態の再生専用の光ディスクでは、光ディスク装置の光ピックアップのトラッキングを調整するためのテスト用二層光ディスクとしては反射率に着目していては十分な性能が得られないという欠点について、以下のように構成しておく。
【００６３】
（１）光ディスク装置の光ピックアップ調整に使用されるテスト用二層光ディスクを再生専用の二層光ディスクで構成すると共に、記録可能な光ディスクを再生した際に光ピックアップで得られる信号と同じ特性の信号が得られるように、再生専用の光ディスクにおいてピット高さもしくはトラックピッチの少なくとも一方が調整された第一記録層と、前記光ディスクとは種類の異なる光ディスクを再生した際に前記光ピックアップで得られる信号と同じ特性の信号が得られるように、再生専用の光ディスクにおいてピット高さもしくはトラックピッチの少なくとも一方が調整された第二記録層と、備えた状態で構成しておく。
【００６４】
この場合、色素変化で記録される光ディスクや、層変化で記録される光ディスクなど、各種の記録可能な光ディスクを再生した際に光ピックアップで得られる信号を予め取得しておき、その信号と同じ信号がピックアップで得られるように、再生専用の光ディスクにおいてピット高さＨｐやトラックピッチＰｔを調整することが望ましい。
【００６５】
この結果、記録可能な光ディスクを再生専用の光ディスクによって擬似的に構成した場合に、光ディスク装置の光ピックアップを調整するためのテスト用二層光ディスクとしては反射率に着目していては十分な性能が得られないという欠点は、ピット高さもしくはトラックピッチの少なくとも一方の調整によって解消され、光学的に記録可能な光ディスクを再生した際に光ピックアップで得られる信号と同じ特性の信号が得られるようなる。
【００６６】
これにより、記録可能な光ディスクを再生専用の光ディスクによって擬似的に構成し、光ディスク装置の光ピックアップの調整に適した状態のテスト用二層光ディスクを実現することが可能になる。
【００６７】
また、二層によって異なる記録可能な光ディスクを擬似的に再現でき、この各層はピット高さやトラックピッチが異なるものの同一の再生専用の光ディスクにより構成されているため、物理的に安定した状態を保つことが可能になる。
【００６８】
（２）また、望ましくは、光学的に記録可能な光ディスクを再生した際に光ピックアップで得られる信号と同じ特性の信号が得られるように、第一記録層と第二記録層とにおいて、ピット高さとトラックピッチとの両方を調整しておく。
【００６９】
この結果、記録可能な光ディスクを再生専用の光ディスクによって擬似的に構成した場合に、光ディスク装置の光ピックアップを調整するためのテスト用二層光ディスクとしては反射率に着目していては十分な性能が得られないという欠点は、ピット高さとトラックピッチの両方の調整によって解消され、光学的に記録可能な光ディスクを再生した際に光ピックアップで得られる信号と同じ特性の信号が得られるようなる。
【００７０】
これにより、記録可能な光ディスクを再生専用の光ディスクによって擬似的に構成し、光ディスク装置の光ピックアップの調整に適した状態のテスト用二層光ディスクを実現することが可能になる。
【００７１】
また、二層によって異なる記録可能な光ディスクを擬似的に再現でき、この各層はピット高さやトラックピッチが異なるものの同一の再生専用の光ディスクにより構成されているため、物理的に安定した状態を保つことが可能になる。
【００７２】
（３）更に望ましくは、記録可能な光ディスクを再生した際に光ピックアップで得られるトラッキングエラー信号の特性と同じ傾向の特性が得られるように、第一記録層と第二記録層とにおいて、ピット高さとトラックピッチとの両方を調整しておく。
【００７３】
この結果、記録可能な光ディスクを再生専用の光ディスクによって擬似的に構成した場合に、光ディスク装置の光ピックアップのトラッキングを調整するためのテスト用二層光ディスクとしては反射率に着目していては十分な性能が得られないという欠点は、ピット高さとトラックピッチの両方の調整によって解消され、光学的に記録可能な光ディスクを再生した際に光ピックアップで得られる信号と同じ特性の信号が得られるようなる。
【００７４】
これにより、記録可能な光ディスクを再生専用の光ディスクによって擬似的に構成し、光ディスク装置の光ピックアップの調整に適した状態のテスト用二層光ディスクを実現することが可能になる。
【００７５】
また、二層によって異なる記録可能な光ディスクを擬似的に再現でき、この各層はピット高さやトラックピッチが異なるものの同一の再生専用の光ディスクにより構成されているため、物理的に安定した状態を保つことが可能になる。
【００７６】
（４）また、トラックピッチの異なる複数の光学的に記録可能な光ディスクを３ビームの光ピックアップで再生した際に得られるメインビームのＲＦ信号とサブビームのＲＦ信号との位相差の特性と同じ傾向の特性が得られるように、第一記録層と第二記録層とにおいて、トラックピッチを調整しておく。
【００７７】
この結果、記録可能な光ディスクを再生専用の光ディスクによって擬似的に構成した場合に、光ディスク装置の３ビーム光ピックアップの位相を調整するためのテスト用二層ディスクとしては反射率に着目していては十分な性能が得られないという欠点は、トラックピッチの調整によって解消される。
【００７８】
これにより、記録可能な光ディスクを再生専用の光ディスクによって擬似的に構成し、光ディスク装置の３ビーム光ピックアップの位相調整に適した状態のテスト用二層光ディスクを実現することが可能となる。
【００７９】
また、二層によって異なる記録可能な光ディスクを擬似的に再現でき、この各層はピット高さやトラックピッチが異なるものの同一の再生専用の光ディスクにより構成されているため、物理的に安定した状態を保つことが可能になる。
【００８０】
（５）また、第一記録層、もしくは、第二記録層の少なくとも一方の層において、種類の異なる光学的に記録可能な複数の光ディスクを再生した際に光ピックアップで得られる信号と同じ信号が得られるように、再生専用の光ディスクにおいてピット高さもしくはトラックピッチの少なくとも一方を調整した複数の領域を設けておく。
【００８１】
ここで、第一基板１１のピット高さやトラックピッチは、図２（ａ）（ｂ）の下側平面を光入射面として、光学的に記録可能な光ディスク（ＤＶＤ−Ｒ，ＤＶＤ＋Ｒ，ＤＶＤ−ＲＷ，ＤＶＤ＋ＲＷ，ＤＶＤ−ＲＡＭのいずれか）を再生した際に前記光ピックアップで得られる信号と同じ信号が得られるように、かつ、第一領域（内周）と第二領域（中周）とで異なる光ディスクに対応するように決定する。なお、第二基板１２（図２（ｃ）（ｄ）参照）で同様に複数の領域に対応できるように構成してもよい。そして、図１の場合と同様に、第一基板１１と、第二基板１２とを、互いの反射膜２１と反射膜２２とが向き合うようにして、接着層３０を介して貼り合わせる。この場合、接着層３０の厚みを調整し、全体として二層光ディスクの所定の厚みになるように構成する。
【００８２】
これにより、３種あるいは４種以上の記録可能な光ディスクを再生専用の光ディスクによって擬似的に構成し、光ディスク装置の光ピックアップの調整に適した状態のテスト用二層光ディスクを実現することが可能になる。
【００８３】
また、二層によって異なる記録可能な光ディスクを擬似的に再現でき、この各層はピット高さやトラックピッチが異なるものの同一の再生専用の光ディスクにより構成されているため、３種あるいは４種以上の記録可能光ディスクを擬似的に構成しているものの、物理的に安定した状態を保つことが可能になる。
【００８４】
（６）また、第一記録層、もしくは、第二記録層の少なくとも一方の層において、種類の異なる光学的に記録可能な複数の光ディスクを再生した際に光ピックアップで得られる信号と同じ信号が得られるように、再生専用の光ディスクにおいてトラックピッチを調整した複数の領域を設けておく。
【００８５】
これにより、３種あるいは４種以上の記録可能な光ディスクを再生専用の光ディスクによって擬似的に構成し、光ディスク装置の光ピックアップの調整に適した状態のテスト用二層光ディスクを実現することが可能になる。
【００８６】
また、二層によって異なる記録可能な光ディスクを擬似的に再現でき、この各層はピット高さやトラックピッチが異なるものの同一の再生専用の光ディスクにより構成されているため、３種あるいは４種以上の記録可能光ディスクを擬似的に構成しているものの、物理的に安定した状態を保つことが可能になる。
【００８７】
以上の（１）〜（６）のように構成することで、光ディスク装置の光ピックアップを調整するためには、テスト用二層光ディスクがＤＶＤである場合には、再生専用のＤＶＤ−ＲＯＭを使用して、記録用ＤＶＤ（ＤＶＤ−Ｒ，ＤＶＤ＋Ｒ，ＤＶＤ−ＲＷ，ＤＶＤ＋ＲＷ，ＤＶＤ−ＲＡＭ）の各種の光ディスクの２種類、または、３種類以上についてシミュレートすることが可能になる。
【００８８】
なお、発明者が実験を行ったところ、各種の記録可能な光ディスクを再生専用の光ディスクで再現する場合、ピット高さＨｐ、トラックピッチＰｔを以下のようにすることで良好な結果を得られた。
【００８９】
なお、一般的には、再生専用のＤＶＤ−ＲＯＭおいては、ピット高さλ/8nでトラッキングエラー信号が最大で、ピット高さλ/4nでトラッキングエラー信号が最小になる。また、３ビーム方式のような位相差検出によるトラッキングエラー信号の検出において、トラックピッチが変化した場合に、トラッキングエラー信号が変化する。また、ＤＶＤ−ＲＡＭのトラックピッチは０．６１５μｍ、ＤＶＤ±ＲとＤＶＤ±ＲＷのトラックピッチは０．７４μｍ、である。
【００９０】
この場合に、以下の（１）〜（５）のいずれか２つを第一記録層と第二記録層にして再生専用のＤＶＤ−ＲＯＭを構成することで、光学的に記録可能な光ディスクを再生した際に光ピックアップで得られる信号と同じ信号が得られるようになる。なお、第一記録層と第二記録層とで、どのような組み合わせであっても良い。
【００９１】
（１）ＤＶＤ−Ｒ：ピット高さＨｐを１５０nm、トラックピッチＰｔを０．７４μm とすることで、ＤＶＤ−Ｒを再生したときに得られるプッシュプル信号と同じトラッキングエラー信号が得られた。
【００９２】
（２）ＤＶＤ＋Ｒ：ピット高さＨｐを１５０nm、トラックピッチＰｔを０．７４μm とすることで、ＤＶＤ＋Ｒを再生したときに得られるプッシュプル信号と同じトラッキングエラー信号が得られた。
【００９３】
（３）ＤＶＤ−ＲＷ：ピット高さＨｐを３０nm、トラックピッチＰｔを０．７４μm とすることで、ＤＶＤ−ＲＷを再生したときに得られるプッシュプル信号と同じトラッキングエラー信号が得られた。
【００９４】
（４）ＤＶＤ＋ＲＷ：ピット高さＨｐを３０nm、トラックピッチＰｔを０．７４μm とすることで、ＤＶＤ＋ＲＷを再生したときに得られるプッシュプル信号と同じトラッキングエラー信号が得られた。
【００９５】
（５）ＤＶＤ−ＲＡＭ：ピット高さＨｐを７０nm、トラックピッチＰｔを０．６１５μm とすることで、ＤＶＤ−ＲＡＭを再生したときに得られるプッシュプル信号と同じトラッキングエラー信号が得られた。
【００９６】
なお、以上の実験結果は、本件出願人が実験に用いた材料によるものであり、材料の組成が異なる場合に、細かな具体的数値は変動することもありうる。
また、本実施形態によれば、以上のピット高さＨｐやトラックピッチＰｔを調整することで、光学的に記録可能な光ディスクを再生した際に１ビームの光ピックアップで得られる信号と同じ特性の信号が得られるように調整したり、トラックピッチの異なる複数の光学的に記録可能な光ディスクを再生した際に、３ビームの光ピックアップで得られる信号と同じ特性の信号が得られるように調整することも可能である。
【００９７】
たとえば、第一基板１１と第一反射膜２１とで構成される第一記録層のピット高さＨｐを１５０nm、トラックピッチＰｔを０．７４μm と構成し、第二基板１２と第二反射膜２２とで構成される第二記録層のピット高さＨｐを７０nm、トラックピッチＰｔを０．６１５μm と構成することで、第一記録層はＤＶＤ＋Ｒ、第二記録層はＤＶＤ−ＲＡＭを再生専用の光ディスクによって擬似的に構成することが可能になる。これにより、光学的に記録可能な二種類の光ディスクを、それぞれ再生した際に光ピックアップで得られる信号と同じ特性の信号が得られるようなる。
【００９８】
なお、第一記録層と第二記録層との組み合わせは、以上の例に限定されるものではない。また、ピット高さＨｐとトラックピッチＰｔとの具体的数値も以上の値に限定されるものではない。また、反射膜を設ける範囲（第一反射膜（内周〜中周）、第二反射膜（中周〜外周））についても、以上の具体例に限定されるものではない。
【００９９】
以上のように構成した結果、光ピックアップの試験を行う際に、記録可能な光ディスクのロットによって性能が変化するという不具合を低減することが可能になる。そして、記録可能な光ディスクを再生専用の光ディスクによって擬似的に構成できるだけではなく、光ディスク装置の光ピックアップを調整するためのテスト用二層光ディスクとしても十分な性能を得ることが可能になる。
【０１００】
すなわち、この実施形態によれば、記録可能な光ディスクを再生専用の光ディスクによって擬似的に構成し、光ディスク装置の光ピックアップの調整に適した状態のテスト用二層光ディスクを実現することが可能になる。この場合、第一記録層と第二記録層との複数の層で異なる記録可能な光ディスクを擬似的に再現でき、この複数の領域はピット高さやトラックピッチの少なくとも一方が異なるものの、同一の再生専用の光ディスクにより構成されているため、物理的に安定した状態を保つことが可能になる。また、再生専用の光ディスクで記録可能な光ディスクを擬似的に構成できるため、製造コストを下げることが可能になる。
【０１０１】
また、複数の規格の記録可能な光ディスクを再生可能な装置では、ディスクの交換をせずに複数の規格の光ディスクについて光ピックアップの調整ができるため、調整が容易になるだけではなく、連続して均一な条件のもとで調整が可能になり好ましい。また、ディスクの交換が不要になるため、ディスクや装置の消耗を抑えることが可能になる。
【０１０２】
なお、以上の実施形態におけるテストディスクは、ＤＶＤ片面２層ディスクの仕様に準拠したものであれば、既存の規格の各種光ディスクのテストディスクとして有用である。また、ＤＶＤ片面２層ディスクの仕様に含まれない各種光ディスクに適用することも可能である。
【図面の簡単な説明】
【０１０３】
【図１】本発明の実施形態であるテスト用二層光ディスクの断面構成を示す断面図である。
【図２】本発明の実施形態であるテスト用二層光ディスクの断面構成を示す断面図である。
【図３】従来のテスト用二層光ディスクの断面構成を示す断面図である。
【符号の説明】
【０１０４】
１１  第一基板
１２  第二基板
２１  第一反射膜
２２  第二反射膜
３０  中間層
４０  ラベル面
【図１】
2007317317.tif 000003
【図２】
2007317317.tif 000004
【図３】
2007317317.tif 000005